(57)【要約】【課題】  判別可能な詰替え容器の容器製造方法を提供することを目的とする。【解決手段】  本発明に係る容器製造方法は、合成樹脂を、化学品の詰替え容器の形状に成形する成型工程と、形成された詰替え容器の表面に塗装する塗装工程と、塗装された詰替え容器の表面に、模様を描画する描画工程とを有し、または、本発明に係る容器製造方法は、合成樹脂を、化学品の詰替え容器の形状に成形する成形工程と、形成された詰替え容器の表面に粉末が混在する塗料で模様を描画して、滑り止めを施す防滑工程とを有する。【選択図】図１
2019182515.tif 000002
【特許請求の範囲】
【請求項１】
合成樹脂を、化学品の詰替え容器の形状に成形する成型工程と、
形成された詰替え容器の表面に塗装する塗装工程と、
塗装された詰替え容器の表面に、模様を描画する描画工程と
を有する容器製造方法。
【請求項２】
合成樹脂を、化学品の詰替え容器の形状に成形する成形工程と、
形成された詰替え容器の表面に粉末が混在する塗料で模様を描画して、滑り止めを施す防滑工程と
を有する容器製造方法。
【請求項３】
合成樹脂を、化学品の詰替え容器の形状に成形する成形工程と、
形成された詰替え容器の表面に塗装する塗装工程と、
塗装された詰替え容器の表面に、前記塗装工程と同じ色の粘性塗料を用いて、容器表面から突出したサイン模様を描画する立体描画工程と
を有する容器製造方法。
【請求項４】
前記成形工程では、ＡＳ樹脂の詰替え容器を成形し、
前記塗装工程では、つや消し塗装が施される
請求項１に記載の容器製造方法。
【請求項５】
前記成形工程では、透明な樹脂で詰替え容器を成形し、
前記塗装工程では、半透明な塗料で塗装が施される
請求項１に記載の容器製造方法。
【請求項６】
合成樹脂の成形容器の上に施された塗装膜を有し、
前記塗装膜上には模様が描画されている
詰替え容器。
【発明の詳細な説明】
【技術分野】
【０００１】
本発明は、容器製造方法、及び詰替え容器に関する。
【背景技術】
【０００２】
例えば、特許文献１には、内容物を収容する内容物収容部を構成する容器本体部に、内容物を注出するための注出口部を有するボトル容器であって、容器本体部は、該容器本体部を片手で把持する際に、第１指が接する正面部と、正面部と相対するように設けられ、他の指が接する背面部と、正面部と背面部とをつなぐように設けられる左右の側面部とを有し、正面部の側から視て、左右の各側面部は、容器本体部の内容物収容部の側に向けてくびれているくびれ部を有し、容器本体部の周方向で、左右の各側面部の側から正面部及び背面部の側にかかる範囲に、容器本体部の高さ方向における中央部を挟んで上下方向に延びる面取り部を有し、この面取り部に多数個の凹凸部が設けられるボトル容器が開示されている。
【０００３】
また、特許文献２には、透明容器（１）内に収容された透明液体（Ｌ）中に、透明薄片（２）に装飾模様（３）を施した装飾体（４）を浸漬したことを特徴とする液体用透明容器が開示されている。
【先行技術文献】
【特許文献】
【０００４】
【特許文献１】特開２０１８−３９５４３号公報
【特許文献２】特開２０００−３３５５８５号公報
【発明の概要】
【発明が解決しようとする課題】
【０００５】
判別可能な詰替え容器の容器製造方法を提供することを目的とする。
【課題を解決するための手段】
【０００６】
本発明に係る容器製造方法は、合成樹脂を、化学品の詰替え容器の形状に成形する成型工程と、形成された詰替え容器の表面に塗装する塗装工程と、塗装された詰替え容器の表面に、模様を描画する描画工程とを有する。
【０００７】
好適には、合成樹脂を、化学品の詰替え容器の形状に成形する成形工程と、形成された詰替え容器の表面に粉末が混在する塗料で模様を描画して、滑り止めを施す防滑工程とを有する。
【０００８】
本発明に係る容器製造方法は、合成樹脂を、化学品の詰替え容器の形状に成形する成形工程と、形成された詰替え容器の表面に塗装する塗装工程と、塗装された詰替え容器の表面に、前記塗装工程と同じ色の粘性塗料を用いて、容器表面から突出したサイン模様を描画する立体描画工程とを有する。
【０００９】
好適には、前記成形工程では、ＡＳ樹脂の詰替え容器を成形し、前記塗装工程では、つや消し塗装が施される。
【００１０】
好適には、前記成形工程では、透明な樹脂で詰替え容器を成形し、前記塗装工程では、半透明な塗料で塗装が施される。
【００１１】
本発明に係る詰替え容器は、合成樹脂の成形容器の上に施された塗装膜を有し、前記塗装膜上には模様が描画されている。
【発明の効果】
【００１２】
判別可能な詰替え容器の容器製造方法を提供することができる。
【図面の簡単な説明】
【００１３】
【図１】本実施例の詰替え容器１を例示する図である。
【図２】詰替え容器１の製造方法を説明するフローチャート（Ｓ１０）である。
【発明を実施するための形態】
【００１４】
以下、本発明の実施形態を、図面を参照して説明する。
シャンプー、リンス等の化学品の詰替え容器は、詰替え作業上、形状にバリエーションをつけにくいという課題がある。本発明はこれに鑑みてなされたものであり、置き場所に適し、内容物を区別できる詰替え容器１を提供する。
【００１５】
図１は、詰替え容器１を例示する図である。
図１に例示するように、詰替え容器１は、化学品の詰替え容器であり、容器本体１０、及び注出部２０により構成されている。具体的には、容器本体１０は、容器本体１０に取り付けられた、容器本体１０内の内容物を抽出するための注出部２０を備えている。容器本体１０と注出部２０とは分離可能である。化学品とは、例えば、シャンプー、リンス、ボディソープ等の洗浄液や、家庭用の各種洗剤等をいう。
【００１６】
容器本体１０は、略円筒形状、または略直方体の形状の合成樹脂容器である。具体的には、略円筒形状または略直方体の形状において、隣り合う面同士は、一定の角度を有し、角ばっている。また、容器本体１０の表面は塗装されている。さらに、領域Ａに例示するように、容器本体１０の表面は、塗装された上から塗装の色とは異なる色を用いて模様が描画されている。また、領域Ｂに例示するように、容器本体１０の表面の一部は、不規則な表面であり、粗く、手触りがざらつく。領域Ｂを設けることにより、容器本体１０は、手触りが異なる領域を有し、滑り止め効果を持つ。そして、領域Ｃに例示するように、容器本体１０の表面の一部は、凹凸を有する。具体的には、容器本体１０は、容器本体１０から突出した模様が描かれている。突出した模様とは、例えばサイン模様であり、浴室で使用する洗浄液、例えば、シャンプー、リンス、ボディソープ等を詰めた容器本体１０毎に模様を変えることで、詰替え容器１を区別することができる。
図１では、容器本体１０に領域Ａ、領域Ｂ、及び領域Ｃを有しているが、これに限らず、領域Ａ、領域Ｂ、又は領域Ｃのみや、これらの領域を組み合わせて容器本体１０を構成してもよい。
また、図１では、容器本体１０の一つの面に領域Ａ、領域Ｂ、及び領域Ｃを有しているが、これに限らず、複数の面にこれらの領域を有してもよい。
【００１７】
図２は、詰替え容器１の製造方法を説明するフローチャート（Ｓ１０）である。
図２に例示するように、ステップ１００（Ｓ１００）において、合成樹脂を化学品の詰替え容器の形状に成形する。成形方法には、加熱溶融させた合成樹脂を金型内に射出注入し、冷却・固化させる事によって、成形品を得る射出成形を用いる。つまり、金型通りの形状を成形できるため、熱で溶融した樹脂を金型で挟んだ後、空気を吹き込んで金型に密着させるブロー成形とは異なり、射出成形は、複雑な形状及び角ばった形状等が可能になる。
ステップ１１０（Ｓ１１０）において、ステップ１００により成形された詰替え容器の表面、つまり、容器本体１０の表面に合成樹脂を塗装する。容器本体１０がＡＳ樹脂製である場合は、つや消し塗装を行う。つや消し塗装を行うことで高級感を演出できる。
また、容器本体１０が透明な樹脂である場合は、半透明な塗料を塗装し、容器本体１０の透光性を調整する。これにより、詰替え容器１は内容物の残量を確認でき、且つ、光による化学品の変質を防ぐことを可能にする。
【００１８】
ステップ１２０（Ｓ１２０）において、滑り止め機能を要する場合は、製造方法（Ｓ１０）は、Ｓ１３０へ移行し、その他の場合は、Ｓ１４０に移行する。
ステップ１３０（Ｓ１３０）において、粉末が混在する塗料で模様を描画する。これにより、手触りがざらつき、容器本体１０に滑り止め機能を与えることができる。内容物である化学品が容器本体１０に付着すると滑りやすくなるため、滑り止め機能が有効である。粉末とは、例えば、砂であり、砂の粒径を変えることで、手触りを変えることができる。
ステップ１４０（Ｓ１４０）において、サイン模様を要する場合は、製造方法（Ｓ１０）は、Ｓ１５０へ移行し、その他の場合は、Ｓ１６０に移行する。
ステップ１５０（Ｓ１５０）において、Ｓ１１０において塗装された色と同じ色の粘性塗料を用いて容器本体１０の表面にサイン模様を描画する。粘性塗料を用いているため、サイン模様部分が容器本体１０の表面から突出した状態となる。つまり、複数の詰替え容器１が存在する場合に、サイン模様の有り無し、またはサイン模様の形状に基づいて、使用者は手触りで詰替え容器１を判別することができる。粘性塗料は、Ｓ１１０に塗装された色と同じ色であるため、詰替え容器１全体として統一感及び高級感を演出できる。
ステップ１６０（Ｓ１６０）において、Ｓ１１０で塗装した色とは異なる色の塗料を用いて容器本体１０の表面に模様を描画する。これにより、複数の詰替え容器１が存在する場合に、模様の有り無し、または模様のデザインに基づいて、使用者は詰替え容器１を判別することができる。
【００１９】
以上説明したように、詰替え容器１の製造方法は、容器本体１０の側面に描画を施すことによりバリエーションに富んだ詰替え容器１を製造することができる。また、描画する塗料に、粘性塗料を用いてサイン模様を描画したり、粉末が混在する塗料を用いて滑り止め機能を詰替え容器１に付与することも可能である。詰替え容器１のバリエーションを豊富にすることで置き場所毎に統一感を持たせながらも、用途毎に判別できる詰替え容器１を提供することができる。
【符号の説明】
【００２０】
１  …詰替え容器
１０…容器本体
２０…注出部
【図１】
2019182515.tif 000003
【図２】
2019182515.tif 000004